(57)【要約】【課題】消費電力を低減できる表示制御装置を提供する。【解決手段】本発明に係る表示制御装置２０は、複数の画素を有する、不揮発性の表示パネル１０の表示を制御する。複数の画素のそれぞれは、当該画素の表示を更新するための背面電極１７を有する。表示制御装置２０は、表示パネル１０が現在表示中の表示画像３０を記憶する表示画像記憶部２１と、表示パネル１０に次に表示する更新画像３１を記憶する更新画像記憶部２２と、表示画像３０と更新画像３１とでデータが異なる画素である変更画素３２を特定し、変更画素３２を含み、かつ、表示パネル１０が有する複数の画素の一部のみを含む更新領域３３を決定する更新領域決定部２３と、更新領域３３に含まれる画素が有する背面電極１７のみに電圧を印加することにより、表示パネル１０が表示する画像を、表示画像３０から更新画像３１に更新する表示更新部２４とを備える。【選択図】図１
2010243607.tif 000002
【特許請求の範囲】
【請求項１】
複数の画素を有する、不揮発性の表示デバイスの表示を制御する表示制御装置であって、
前記複数の画素のそれぞれは、当該画素の表示を更新するための電極を有し、
前記表示制御装置は、
前記表示デバイスが現在表示中の表示画像を記憶する表示画像記憶部と、
前記表示デバイスに次に表示する更新画像を記憶する更新画像記憶部と、
前記表示画像記憶部に記憶される前記表示画像と、前記更新画像記憶部に記憶される前記更新画像とでデータが異なる画素である変更画素を特定し、当該変更画素を含み、かつ、前記表示デバイスが有する前記複数の画素の一部のみを含む更新領域を決定する更新領域決定部と、
前記更新領域に含まれる画素が有する電極のみに電圧を印加することにより、前記表示デバイスが表示する画像を、前記表示画像から前記更新画像に更新する表示更新部とを備える
表示制御装置。
【請求項２】
前記更新領域決定部は、前記画素のみを含む領域を前記更新領域に決定する
請求項１記載の表示制御装置。
【請求項３】
前記更新領域決定部は、前記表示デバイスが有する複数の画素を、各々が複数の画素を含む複数の分割領域に分割し、前記複数の分割領域のうち、前記変更画素を含む分割領域を前記更新領域に決定する
請求項１記載の表示制御装置。
【請求項４】
前記複数の分割領域は、矩形の領域である
請求項３記載の表示制御装置。
【請求項５】
前記複数の分割領域の各々は、１以上の列に含まれる画素のみ、又は１以上の行に含まれる画素のみを含む
請求項３記載の表示制御装置。
【請求項６】
複数の画素を有する、不揮発性の表示デバイスの表示を制御する表示制御方法であって、
前記複数の画素のそれぞれは、当該画素の表示を更新するための電極を有し、
前記表示制御方法は、
前記表示デバイスが現在表示中の表示画像を表示画像記憶部に記憶する第１画像記憶ステップと、
前記表示デバイスに次に表示する更新画像を更新画像記憶部に記憶する第２画像記憶ステップと、
前記表示画像記憶部に記憶される前記表示画像と、前記更新画像記憶部に記憶される前記更新画像とでデータが異なる画素である変更画素を特定し、当該変更画素を含み、かつ、前記表示デバイスが有する前記複数の画素の一部のみを含む更新領域を決定する更新領域決定ステップと、
前記更新領域に含まれる画素が有する電極のみに電圧を印加することにより、前記表示デバイスが表示する画像を、前記表示画像から前記更新画像に更新する表示更新ステップとを含む
表示制御方法。
【請求項７】
複数の画素を有する、不揮発性の表示デバイスの表示を制御するためのプログラムであって、
前記複数の画素のそれぞれは、当該画素の表示を更新するための電極を有し、
前記プログラムは、
前記表示デバイスが現在表示中の表示画像を表示画像記憶部に記憶する第１画像記憶ステップと、
前記表示デバイスに次に表示する更新画像を更新画像記憶部に記憶する第２画像記憶ステップと、
前記表示画像記憶部に記憶される前記表示画像と、前記更新画像記憶部に記憶される前記更新画像とでデータが異なる画素である変更画素を特定し、当該変更画素を含み、かつ、前記表示デバイスが有する前記複数の画素の一部のみを含む更新領域を決定する更新領域決定ステップと、
前記更新領域に含まれる画素が有する電極のみに電圧を印加することにより、前記表示デバイスが表示する画像を、前記表示画像から前記更新画像に更新する表示更新ステップとをコンピュータに実行させる
プログラム。
【発明の詳細な説明】
【技術分野】
【０００１】
本発明は、表示制御装置及び表示制御方法に関し、特に、複数の画素を有する、不揮発性の表示デバイスの表示を制御する表示制御装置に関する。
【背景技術】
【０００２】
近年、省電力を特徴とした電子ペーパーの開発が進められている。電子ペーパーとは、広義には紙のような感覚で利用できる、柔らかい素材の極薄の表示装置のことであるが、ここで述べる電子ペーパーとは、蛍光灯及び太陽光などの光を反射することにより画面を表示する反射型表示装置（以下、電子ペーパー）のことである。このような電子ペーパーは、画面の表示内容を変化させる時にだけ電力を消費するため消費電力も小さい。また、電子ペーパーは、電源を切っても表示を維持でき、かつ軽いなどの特長を有する（例えば、特許文献１参照）。
【０００３】
現在、このような電子ペーパーに該当する技術には複数の方式が存在するが、基本的には表示デバイスに特徴を有している。例えば電気泳動方式では、表示デバイスは、薄いフィルム上に敷き詰められた、ナノメートル単位のマイクロカプセルを有する。個々のカプセルは液体で満たされており、その中で白い微粒子と黒い微粒子とが浮遊している。白い微粒子は正に荷電されており、また黒い微粒子は負に荷電されている。
【０００４】
ここでマイクロカプセルに負の電界をかけると、白い微粒子はカプセルの上部に移動し、同時に黒い微粒子は当該電界によってマイクロカプセルの底部に引き付けられる。このため、マイクロカプセルの表面は白く見える。また、白い粒子に隠れて黒い粒子は見えなくなる。
【０００５】
電子ペーパーは、このような制御をするために、マイクロカプセルの上部と下部とにそれぞれ配置された透明電極を備える。また、この透明電極は格子状に形成される。電子ペーパーは、表示する図形に合わせて、各位置の上部電極及び下部電極に印加する電圧の正負の方向を選択することにより、文字及び画像の表示を行う。
【０００６】
また、単純な表示内容であれば、電卓で使われている７セグメント方式のように電圧を加える単位（セグメント）で表示領域を小さい領域に分割し、その領域毎に外部から所望の電圧を与えることで、表示制御を行うことができる。しかしながら、この場合、固定した表示パターンしか表示できない。
【０００７】
より細かく、変化に富んだ画像表示を行うためには、複数の画素を格子状に均等配列したうえで、各画素の電極に配線を施す必要がある。これをドットマトリックス方式と呼ぶ。ドットマトリックス方式では、アクティブマトリックス駆動又は単純マトリックス駆動が用いられる。アクティブマトリックス駆動とは、多数の画素にそれぞれ電極の配線をしようとしても基板周縁部にすべての端子が取り出せなくなることから、ＴＦＴ（薄膜トランジスタ）などのアクティブ素子を各画素に配置し、当該アクティブ素子により選択された画素を駆動する方式である。また、単純マトリックス駆動とは、互いに直交させたストライプ電極を表示デバイスの両面に設けて、その交点の画素を駆動する方式である。
【０００８】
一方で、ＴＦＴ等のアクティブ素子を用いるアクティブマトリックス駆動方式は、液晶パネルで用いられている。特に、液晶パネルの生産技術の発展に伴い高品質の表示が必要なテレビ受像機、コンピュータモニタ、及び携帯電話の表示部として広く普及している。
【０００９】
上述したように、表示デバイスとしては新たな特徴を有する電子ペーパーではあるが、駆動方式としては異なる発展を遂げた液晶パネルの制御方式と同様の制御方法を用いているのが現状である。
【先行技術文献】
【特許文献】
【００１０】
【特許文献１】特開２０００−１６３１９３号公報
【発明の概要】
【発明が解決しようとする課題】
【００１１】
しかしながら、従来の電子ペーパーでは、液晶パネル等と同様の制御方法を用いているために、十分な省電力化を達成しているとは必ずしもいえない。また、電子ペーパーは、画像表示時には電力を消費しないという特性を有し、高い省電力性を有する。このような電子ペーパーにおいて、更新時の消費電力をより削減することで、電子ペーパーの特徴である省電力性をより活かすことができる。
【００１２】
そこで、本発明は、電子ペーパー等の表示デバイスの表示制御を行う表示制御装置であって、消費電力を低減できる表示制御装置を提供することを目的とする。
【課題を解決するための手段】
【００１３】
上記目的を達成するために、本発明に係る表示制御装置は、複数の画素を有する、不揮発性の表示デバイスの表示を制御する表示制御装置であって、前記複数の画素のそれぞれは、当該画素の表示を更新するための電極を有し、前記表示制御装置は、前記表示デバイスが現在表示中の表示画像を記憶する表示画像記憶部と、前記表示デバイスに次に表示する更新画像を記憶する更新画像記憶部と、前記表示画像記憶部に記憶される前記表示画像と、前記更新画像記憶部に記憶される前記更新画像とでデータが異なる画素である変更画素を特定し、当該変更画素を含み、かつ、前記表示デバイスが有する前記複数の画素の一部のみを含む更新領域を決定する更新領域決定部と、前記更新領域に含まれる画素が有する電極のみに電圧を印加することにより、前記表示デバイスが表示する画像を、前記表示画像から前記更新画像に更新する表示更新部とを備える。
【００１４】
この構成によれば、本発明に係る表示制御装置は、表示デバイスの画像を更新する際、表示データが更新される変更画素を含む更新領域の画素にのみ電圧を印加する。これにより、本発明に係る表示制御装置は、更新されない領域へ電圧を印加しないので、消費電力を低減できる。
【００１５】
また、前記更新領域決定部は、前記画素のみを含む領域を前記更新領域に決定してもよい。
【００１６】
この構成によれば、本発明に係る表示制御装置は、最も効率よく消費電力を削減できる。
【００１７】
また、前記更新領域決定部は、前記表示デバイスが有する複数の画素を、各々が複数の画素を含む複数の分割領域に分割し、前記複数の分割領域のうち、前記変更画素を含む分割領域を前記更新領域に決定してもよい。
【００１８】
この構成によれば、本発明に係る表示制御装置は、更新領域を選択する制御を容易に行うことができる。
【００１９】
また、前記複数の分割領域は、矩形の領域でもよい。
【００２０】
また、前記複数の分割領域の各々は、１以上の列に含まれる画素のみ、又は１以上の行に含まれる画素のみを含んでもよい。
【００２１】
また、本発明に係る表示制御方法は、複数の画素を有する、不揮発性の表示デバイスの表示を制御する表示制御方法であって、前記複数の画素のそれぞれは、当該画素の表示を更新するための電極を有し、前記表示制御方法は、前記表示デバイスが現在表示中の表示画像を表示画像記憶部に記憶する第１画像記憶ステップと、前記表示デバイスに次に表示する更新画像を更新画像記憶部に記憶する第２画像記憶ステップと、前記表示画像記憶部に記憶される前記表示画像と、前記更新画像記憶部に記憶される前記更新画像とでデータが異なる画素である変更画素を特定し、当該変更画素を含み、かつ、前記表示デバイスが有する前記複数の画素の一部のみを含む更新領域を決定する更新領域決定ステップと、前記更新領域に含まれる画素が有する電極のみに電圧を印加することにより、前記表示デバイスが表示する画像を、前記表示画像から前記更新画像に更新する表示更新ステップとを含む。
【００２２】
これによれば、本発明に係る表示制御方法は、表示デバイスの画像を更新する際、表示データが更新される変更画素を含む更新領域の画素にのみ電圧を印加する。これにより、本発明に係る表示制御方法は、更新されない領域へ電圧を印加しないので、消費電力を低減できる。
【００２３】
なお、本発明は、このような表示制御装置として実現できるだけでなく、表示制御装置に含まれる特徴的な手段をステップとする表示制御方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【００２４】
さらに、本発明は、このような表示制御装置の機能の一部又は全てを実現する半導体集積回路（ＬＳＩ）として実現したり、このような表示制御装置及び表示デバイスを備える表示装置、又は電子ペーパーとして実現したりできる。
【発明の効果】
【００２５】
以上より、本発明は、電子ペーパー等の表示デバイスの表示制御を行う表示制御装置であって、消費電力を低減できる表示制御装置及び表示制御方法を提供できる。
【図面の簡単な説明】
【００２６】
【図１】本発明の実施の形態に係る表示装置の構成を示すブロック図である。
【図２】本発明の実施の形態に係る表示パネルの構成を示す図である。
【図３】本発明の実施の形態に係る表示層の構成を示す図である。
【図４】本発明の実施の形態に係る表示制御装置のハードウェア構成を示す図である。
【図５】本発明の実施の形態に係る表示装置の表示画像の更新処理の流れを示すフローチャートである。
【図６】本発明の実施の形態に係る表示装置における更新領域の一例を示す図である。
【図７】本発明の実施の形態に係る表示装置における更新領域の一例を示す図である。
【図８】本発明の実施の形態に係る表示装置における更新領域の一例を示す図である。
【図９】本発明の実施の形態に係る表示装置における更新領域の一例を示す図である。
【発明を実施するための形態】
【００２７】
以下、図面を参照して本発明の実施の形態について説明する。
【００２８】
本発明の実施の形態に係る表示装置は、表示画像を更新する際、表示データが更新される画素のみに電圧を印加する。これにより、本発明の実施の形態に係る表示装置は、消費電力を低減できる。
【００２９】
まず、本発明の実施の形態に係る表示装置１００の構成を説明する。
【００３０】
図１は、本発明の実施の形態に係る表示装置１００の構成を示すブロック図である。図１に示す表示装置１００は、電子ペーパーと呼ばれる薄型ディスプレイである。また、表示装置１００は、電源を切っても表示が維持される不揮発性の表示装置である。ここで、不揮発性とは、電力を供給しなくても表示が継続されることを意味し、以下、同様の意味で用いる。この表示装置１００は、表示パネル１０と、表示制御装置２０とを備える。
【００３１】
表示パネル１０は、不揮発性の表示デバイスである。表示制御装置２０は、表示パネル１０の表示を制御する。
【００３２】
図２は、表示パネル１０の構成を示す図である。
表示パネル１０は、複数の画素を有した電気泳動方式を用いたマイクロカプセル型の表示デバイスである。この表示パネル１０は、表示層１１と、駆動基板１２と、信号線１３とを備える。
【００３３】
なお、ここでは、表示パネル１０は、電気泳動方式を用いたマイクロカプセル型の表示デバイスを例に説明するが、表示パネル１０は、その他の不揮発性の表示デバイスであってもよい。例えば、表示パネル１０は、粉体移動方式を用いたマイクロカプセル型の表示デバイスであってもよい。また、表示パネル１０は、強誘電性液晶、又はコレステリック液晶等の他の方式を用いた不揮発性の表示デバイスであってもよい。
【００３４】
図３は、表示層１１の構成を示す断面図である。表示層１１は、複数のマイクロカプセル１５と、複数の透明電極１６と、複数の背面電極１７とを備える。
【００３５】
例えば、それぞれ一つのマイクロカプセル１５と、透明電極１６と、背面電極１７とが１画素を構成する。また、各画素を構成する透明電極１６及び背面電極１７は、当該画素の表示を更新するために用いられる。
【００３６】
複数のマイクロカプセル１５は、行列状に配置される。また、複数のマイクロカプセル１５は、薄いフィルム上に敷き詰められ、各々がナノメートル単位の大きさである。
【００３７】
各マイクロカプセル１５は液体で満たされており、当該液体中を浮遊する複数の白い微粒子１８と複数の黒い微粒子１９とを含む。白い微粒子１８は正に荷電されており、また黒い微粒子１９は負に荷電されている。
【００３８】
複数の透明電極１６は、マイクロカプセル１５の上側（表示面側）に形成される。
【００３９】
複数の背面電極１７は、マイクロカプセル１５の下側（表示面の裏面側）に形成される。
【００４０】
また、透明電極１６に対して背面電極１７の電位を一定値以上高くする（例えば、透明電極１６を一定電圧とし、背面電極１７に正の電圧を印加する）ことで、白い微粒子１８はマイクロカプセル１５の上部に移動し、同時に黒い微粒子１９はマイクロカプセル１５の底部に引き付けられる。このため、マイクロカプセル１５の表面は白く見える。
【００４１】
逆に、透明電極１６に対して背面電極１７の電位を一定値以上低くする（例えば、透明電極１６を一定電圧とし、背面電極１７に負の電圧を印加する）ことで、黒い微粒子１９はマイクロカプセル１５の上部に移動し、同時に白い微粒子１８はマイクロカプセル１５の底部に引き付けられる。このため、マイクロカプセル１５の表面は黒く見える。
【００４２】
駆動基板１２は、信号線１３を介して、表示制御装置２０により入力された制御信号に応じて、複数の背面電極１７に正又は負の電圧を印加する。例えば、駆動基板１２は、各画素に対応するＴＦＴ等のアクティブ素子を備え、アクティブマトリックス駆動方式を用いて、複数の背面電極１７の電圧を個別に制御する。
【００４３】
なお、透明電極１６は、複数のマイクロカプセル１５に跨って配置されてもよいし、個別のマイクロカプセル１５に対して一つの透明電極１６を対応させてもよい。ここで、透明電極１６の数が多くなるほど（電極が細かくなるほど）表示解像度を高くすることが可能である。
【００４４】
また、１画素に複数のマイクロカプセル１５が配置されてもよい。つまり、一つの透明電極１６及び背面電極１７の組に対して、複数のマイクロカプセル１５が配置されてもよい。
【００４５】
また、ここでは、表示パネル１０が白黒の画像を表示する場合を例に説明するが、表示パネル１０は、カラーの画像を表示する表示デバイスであってもよい。さらに、表示パネル１０は、２値（例えば白と黒）の画像データを表示するのではなく、多値の画像データ（色の濃淡）を表示してもよい。また、このような場合には、１画素に複数組の透明電極１６及び背面電極１７が配置されてもよい。
【００４６】
再度、図１を参照して説明を行う。
【００４７】
表示制御装置２０は、表示画像記憶部２１と、更新画像記憶部２２と、更新領域決定部２３と、表示更新部２４と、ホストシステム２５とを備える。
【００４８】
表示画像記憶部２１は、表示パネル１０が現在表示中の表示画像３０を一時的に記憶する。
【００４９】
更新画像記憶部２２は、表示パネル１０に次に表示する更新画像３１を一時的に記憶する。
【００５０】
更新領域決定部２３は、表示画像記憶部２１に記憶される表示画像３０と、更新画像記憶部２２に記憶される更新画像３１とを用いて、更新領域３３を決定する。具体的には、更新領域決定部２３は、表示画像３０と更新画像３１とでデータが異なる画素である変更画素３２を特定する。次に、更新領域決定部２３は、変更画素３２を含み、かつ、表示パネル１０が有する複数の画素の一部のみを含む更新領域３３を決定する。
【００５１】
表示更新部２４は、更新領域決定部２３で決定された更新領域３３のデータのみを更新する。具体的には、更新領域３３に含まれる画素が有する透明電極１６及び背面電極１７のみに電圧を印加することにより、表示パネル１０が表示する画像を、表示画像３０から更新画像３１に更新する。
【００５２】
ホストシステム２５は、表示制御装置２０の全体の制御を行う。
【００５３】
図４は、表示制御装置２０のハードウェア構成を示す図である。図４に示すように表示制御装置２０は、ＣＰＵ４０と、ＨＤＤ４１と、ＲＡＭ４２と、ＩＣ４３と、ＲＡＭ４４とを備える。
【００５４】
例えば、ホストシステム２５の機能は、ＣＰＵ４０が、ＨＤＤ４１又はＲＡＭ４２に記録されたプログラムを実行することにより実現される。なお、ＣＰＵ４０は、ＨＤＤ４１又はＲＡＭ４２の代わりに、不揮発性メモリ等の他の記憶部を用いてもよい。
【００５５】
また、表示画像記憶部２１及び更新画像記憶部２２の機能は、ＲＡＭ４４により実現される。なお、表示画像記憶部２１及び更新画像記憶部２２の機能は、ＨＤＤ又は不揮発性メモリ等の他の記憶部により実現されてもよい。
【００５６】
また、更新領域決定部２３及び表示更新部２４の機能は、ＩＣ４３に形成された専用の回路により実現される。
【００５７】
なお、更新領域決定部２３及び表示更新部２４の機能の一部又は全てを、ＣＰＵ４０又は他のプロセッサがプログラムを実行することにより実現してもよいし、ホストシステム２５の機能の一部又は全てを専用の回路により実現してもよい。
【００５８】
次に、表示装置１００の動作を説明する。
【００５９】
図５は、表示装置１００による、表示画像の更新処理の流れを示すフローチャートである。
【００６０】
まず、更新領域決定部２３は、表示画像記憶部２１に記憶されている表示画像３０を取得する（Ｓ１０１）。例えば、この表示画像３０は、前回の表示画像の更新時に、ホストシステム２５により表示画像記憶部２１に記憶されたものである。
【００６１】
次に、ホストシステム２５は、例えば、外部から入力された画像、又は表示制御装置２０が備える記憶部（図示せず）に記憶される画像を、表示パネル１０に新たに表示する更新画像３１に決定する。ホストシステム２５は、決定した更新画像３１を、表示更新部２４を経由して、更新画像記憶部２２に一旦記憶する。次に、更新領域決定部２３は、更新画像記憶部２２に記憶される更新画像３１を取得する（Ｓ１０２）。
【００６２】
次に、更新領域決定部２３は、ステップＳ１０１で取得した表示画像３０と、ステップＳ１０２で取得した更新画像３１とを画素単位で比較し、表示画像３０と更新画像３１とでデータが異なる画素である変更画素３２を特定する（Ｓ１０３）。
【００６３】
次に、更新領域決定部２３は、ステップＳ１０３で特定した変更画素３２を含み、かつ、表示パネル１０が有する複数の画素の一部のみを含む更新領域３３を決定する（Ｓ１０４）。
【００６４】
図６は、更新領域決定部２３により決定される更新領域３３の一例を示す図である。例えば、更新領域決定部２３は、図６に示すように、変更画素３２のみを含む領域を更新領域３３に決定する。
【００６５】
なお、更新領域決定部２３は、下記のように更新領域３３を決定してもよい。
【００６６】
図７〜図９は、更新領域決定部２３により決定される更新領域３３の別の例を示す図である。
【００６７】
図７に示すように、更新領域決定部２３は、複数の変更画素３２の全てを含む最小の矩形の領域を更新領域３３として決定してもよい。
【００６８】
また、図８に示すように、更新領域決定部２３は、表示パネル１０が有する複数の画素を、各々が複数の画素を含む複数の分割領域３４ａ、３４ｂ及び３４ｃに分割し、複数の分割領域３４ａ、３４ｂ及び３４ｃのうち、変更画素３２を含む分割領域３４ａを更新領域３３に決定してもよい。なお、表示パネル１０が有する複数の画素の分割方法は、任意でよく図８に示す例に限定されるものではない。例えば、分割領域３４ａ、３４ｂ及び３４ｃは、図８に示すように矩形であってもよいし、他の形状であってもよい。また、分割領域の数は、２以上であれば任意の数でよい。
【００６９】
例えば、図９に示すように、更新領域決定部２３は、変更画素３２を含む行を更新領域３３として決定してもよい。また、更新領域決定部２３は、変更画素３２を含む列を更新領域３３として決定してもよい。また、更新領域決定部２３は、変更画素３２を含む２以上の行、又は２以上の列を更新領域３３として決定してもよい。言い換えると、更新領域決定部２３は、表示パネル１０が有する複数の画素を、各々が、１以上の列に含まれる画素のみ、又は１以上の行に含まれる画素のみを含む複数の分割領域に分割し、複数の分割領域のうち、変更画素３２を含む分割領域を更新領域３３に決定してもよい。
【００７０】
ここで、更新領域３３に含まれる、変更画素３２以外の画素の数が少ないほど、消費電力を削減する効果が大きい。つまり、図６に示すように、更新領域決定部２３が変更画素３２のみを含む領域を更新領域３３に決定する場合が、最も消費電力の削減効果が大きい。
【００７１】
一方で、図７〜図９に示すように、変更画素３２を含む所定の単位の領域を更新領域３３に決定する場合のほうが、表示制御装置２０による表示パネル１０の制御が容易になるという利点がある。
【００７２】
再度、図５を参照して説明を行う。
【００７３】
ステップＳ１０４の後、表示更新部２４は、更新領域３３に含まれる画素が有する透明電極１６と背面電極１７との間にのみ電圧を印加することにより、表示パネル１０が表示する画像を、表示画像３０から更新画像３１に更新する（Ｓ１０５）。例えば、表示更新部２４は、更新領域３３に含まれる画素が有する透明電極１６と背面電極１７との間にのみ更新画像３１に応じた正又は負の電圧を印加し、かつ、更新領域３３に含まれない画素の透明電極１６と背面電極１７との間に電圧を印加しない。具体的には、表示更新部２４は、このような制御を駆動基板１２に指示する制御信号を駆動基板１２に出力する。そして、駆動基板１２は、当該制御信号に応じて、更新領域３３に含まれる画素が有する透明電極１６と背面電極１７との間にのみ更新画像３１に応じた正又は負の電圧を印加し、かつ、更新領域３３に含まれない画素の透明電極１６と背面電極１７との間に電圧を印加しない。
【００７４】
ここで、透明電極１６と背面電極１７との間に電圧を印加しないとは、透明電極１６及び背面電極１７の両方に電圧を印加しないことと、透明電極１６及び背面電極１７のうち一方に電圧を印加せず、かつ他方に所定の電圧を印加することとを含む。
【００７５】
以上により、本発明の実施の形態に係る表示装置１００は、表示画像を更新する際、表示データが更新される変更画素３２を含む更新領域３３の画素にのみ電圧を印加する。これにより、表示装置１００は、表示画素を更新する際に全ての画素に電圧を印加する場合に比べて、消費電力を低減できる。
【産業上の利用可能性】
【００７６】
本発明は、表示駆動装置に適用でき、特に、不揮発性を有する電子ペーパーに適用できる。
【符号の説明】
【００７７】
１０  表示パネル
１１  表示層
１２  駆動基板
１３  信号線
１５  マイクロカプセル
１６  透明電極
１７  背面電極
１８  白い微粒子
１９  黒い微粒子
２０  表示制御装置
２１  表示画像記憶部
２２  更新画像記憶部
２３  更新領域決定部
２４  表示更新部
２５  ホストシステム
３０  表示画像
３１  更新画像
３２  変更画素
３３  更新領域
４０  ＣＰＵ
４１  ＨＤＤ
４２  ＲＡＭ
４３  ＩＣ
４４  ＲＡＭ
【図１】
2010243607.tif 000003
【図２】
2010243607.tif 000004
【図３】
2010243607.tif 000005
【図４】
2010243607.tif 000006
【図５】
2010243607.tif 000007
【図６】
2010243607.tif 000008
【図７】
2010243607.tif 000009
【図８】
2010243607.tif 000010
【図９】
2010243607.tif 000011